(57)【要約】【課題】  遊技機の前面扉の液晶表示装置において、リール窓に対応して開口部ＯＰを有する導光板ＬＧを備えている場合に、出射光量の分布を改善することを目的とする。【解決手段】  液晶パネルと、導光板ＬＧと、線状光源部ＬＤと、画像表示領域内にリール窓が配置される前面扉を有した遊技機であって、導光板ＬＧは、線状光源部ＬＤからの光が入射する入射端部ＩＥと、入射端部ＩＥに対向する端部となる対向端部ＦＥと、リール窓に対応して形成される対向端部ＦＥ側への導光を遮る開口部ＯＰと、入射端部ＩＥと対向端部ＦＥの間に配置される側面に沿って延在する導光維持部分ＫＬと、を有し、導光維持部分ＫＬは、開口部ＯＰが配置される位置よりも対向端部ＦＥ側となる位置で導光方向を変化させる導光方向変換部ＴＬを有し、導光方向変換部ＴＬは、導光維持部分ＫＬにおける導光を、開口部ＯＰによって導光が遮られる領域へと反射させる、ことを特徴とする。【選択図】  図５
2015136561.tif 000002
【特許請求の範囲】
【請求項１】
遊技者に対して画像を表示するための画像表示領域を有する液晶パネルと、
前記液晶パネルの裏側に配置される導光板と、
前記導光板に光を入射させる線状光源部と、
複数のリールを回転させるリール可変表示装置を観察するためのリール窓と、を有し、
前記リール窓が、前記画像表示領域内に配置されるように構成される前面扉を備えた遊技機であって、
前記導光板は、
前記線状光源部からの光が入射する入射端部と、
前記入射端部に対向する位置の端部となる対向端部と、
前記リール窓に対応して形成されて、前記入射端部側から前記対向端部側への導光を遮る中空の開口部と、
前記入射端部と前記対向端部の間に配置される側面に沿って前記入射端部から前記対向端部に向かって延在する導光維持部分と、を有し、
前記導光維持部分は、前記開口部が配置される位置よりも前記対向端部側となる位置で導光方向を変化させる導光方向変換部をさらに有し、
前記導光方向変換部は、前記導光維持部分が開始する前記入射端部から導光された入射光を、前記開口部によって導光が遮られる前記対向端部側の領域へと誘導するように反射させる、
ことを特徴とする遊技機。
【請求項２】
請求項１に記載された遊技機であって、
前記導光方向変換部は、前記対向端部の側に進むにつれて、前記開口部側に近づくように傾斜をする傾斜側面を含んで構成され、
前記導光方向変換部を備えた前記導光維持部分は、前記傾斜側面により先細りとなるように構成される、
ことを特徴とする遊技機。
【請求項３】
請求項１に記載された遊技機であって、
前記導光板は、前記開口部の周囲を囲んで前記画像表示領域に対応する画像表示対応部分を有し、
前記画像表示対応部分には、前記入射端部から入射した光を前記液晶パネルに向けて出射するように反射させる複数の光出射手段が配置され、
前記画像表示対応部分は、
前記開口部を基準として前記入射端部側となる部分における前記光出射手段の密度は、前記開口部を基準として前記対向端部側となる部分における前記光出射手段の密度よりも高い、
ことを特徴とする遊技機。
【請求項４】
請求項１に記載された遊技機であって、
前記導光板は、前記開口部を囲んで前記画像表示領域に対応する画像表示対応部分を有し、
前記導光維持部分は、前記画像表示対応部分よりも前記液晶パネルが配置されている側への出射光量が少なくなるように構成される、
ことを特徴とする遊技機。
【請求項５】
請求項１に記載された遊技機であって、
前記導光維持部分は、前記液晶パネルの外側にはみ出すように配置され、
前記前面扉は、前記導光維持部分の前方に、当該導光維持部分が視認不能となるように所定の部材を備える、
ことを特徴とする遊技機。
【請求項６】
請求項１に記載された遊技機であって、
前記導光維持部分は、前記液晶パネルの一部と重複して配置され、
前記前面扉は、前記導光維持部分と重複する前記液晶パネルの一部の前側に、当該一部が視認不能となるように所定の部材を備える、
ことを特徴とする遊技機。
【発明の詳細な説明】
【技術分野】
【０００１】
本発明は、遊技機に関する。
【背景技術】
【０００２】
遊技機の前面扉には、筐体内部に配置されたリールユニットが回転駆動される様子を観察するためのリール窓が配置される。
【０００３】
また、前面扉において、遊技に関する演出画像を表示するための液晶表示装置を備えた遊技機が知られており、特許文献１には、バックライトを背面に備えた液晶表示装置が前面パネルの略全面に取り付けられて、表示領域を拡大化した遊技機が記載されている。
【先行技術文献】
【特許文献】
【０００４】
【特許文献１】特開２００５−１８５８２６号公報
【発明の概要】
【発明が解決しようとする課題】
【０００５】
ここで、液晶表示装置による表示領域をリール窓の上下左右に拡大した遊技機において、リール窓の視認性を向上させる上では、リール窓に対応する領域の導光部材を取り除いて開口部を形成した導光板を用いることが考えられる。
【０００６】
しかしながら、例えば、図８で示されるように、リール窓に対応して開口部ＯＰが形成された導光板ＬＧを備えた液晶表示装置において、一方に配置された線状光源部ＬＤから入射光を供給するような場合には、開口部ＯＰにて導光が遮断されてその反対側となる領域（発光遮断領域ＳＨ）に供給される光量が減少することとなる。したがってこのような場合には、発光遮断領域ＳＨに対応する表示領域に十分な光量が出射されず演出画像にむらが発生することとなる。
【０００７】
本発明は、上記のような課題に鑑みて、画像表示領域内に配置されるリール窓に対応して開口部を有する導光板を液晶パネルの背面に備える場合において、導光板に光を供給する光源の配置によって発生しうる出射光量の分布を改善できる遊技機を提供することを目的とする。
【課題を解決するための手段】
【０００８】
以下、本発明について説明する。なお、発明の理解を容易にするため添付図面の参照符号等を括弧書きにて付記するが、それにより本発明が表示の形態に限定されるものではない。
【０００９】
本発明にかかる遊技機は、上記課題に鑑みて、遊技者に対して画像を表示するための画像表示領域（３０）を有する液晶パネル（ＬＣ）と、前記液晶パネルの裏側に配置される導光板（ＬＧ）と、前記導光板に光を入射させる線状光源部（ＬＤ）と、複数のリール（Ｒ１〜Ｒ３）を回転させるリール可変表示装置（ＲＬ）を観察するためのリール窓（２０）と、を有し、前記リール窓が、前記画像表示領域内に配置されるように構成される前面扉（３）を備えた遊技機であって、前記導光板は、前記線状光源部からの光が入射する入射端部（ＩＥ）と、前記入射端部に対向する位置の端部となる対向端部（ＦＥ）と、前記リール窓に対応して形成されて、前記入射端部側から前記対向端部側への導光を遮る中空の開口部（ＯＰ）と、前記入射端部と前記対向端部の間に配置される側面に沿って前記入射端部から前記対向端部に向かって延在する導光維持部分（ＫＬ）と、を有し、前記導光維持部分は、前記開口部が配置される位置よりも前記対向端部側となる位置で導光方向を変化させる導光方向変換部（ＴＬ）をさらに有し、前記導光方向変換部は、前記導光維持部分が開始する前記入射端部から導光された入射光を、前記開口部によって導光が遮られる前記対向端部側の領域（発光遮断領域）へと誘導するように反射させる、ことを特徴とする。
【００１０】
また、本発明に係る遊技機の一態様では、前記導光方向変換部は、前記対向端部の側に進むにつれて、前記開口部側に近づくように傾斜をする傾斜側面を含んで構成され、前記導光方向変換部を備えた前記導光維持部分は、前記傾斜側面により先細りとなるように構成される、ことを特徴としてもよい。
【００１１】
また、本発明に係る遊技機の一態様では、前記導光板は、前記開口部の周囲を囲んで前記画像表示領域に対応する画像表示対応部分（ＧＩ）を有し、前記画像表示対応部分には、前記入射端部から入射した光を前記液晶パネルに向けて出射するように反射させる複数の光出射手段（例えば、散乱ドット）が配置され、前記画像表示対応部分は、前記開口部を基準として前記入射端部側となる部分における前記光出射手段の密度は、前記開口部を基準として前記対向端部側となる部分における前記光出射手段の密度よりも高い、ことを特徴としてもよい。
【００１２】
また、本発明に係る遊技機の一態様では、前記導光板は、前記開口部を囲んで前記画像表示領域に対応する画像表示対応部分を有し、前記導光維持部分は、前記画像表示対応部分よりも前記液晶パネルが配置されている側への出射光量が少なくなるように構成される、ことを特徴としてもよい。
【００１３】
また、本発明に係る遊技機の一態様では、前記導光維持部分は、前記液晶パネルの外側にはみ出すように配置され、前記前面扉は、前記導光維持部分の前方に、当該導光維持部分が視認不能となるように所定の部材（例えば、電飾ＬＥＤ３１、前面扉３における枠体を構成する部材）を備える、ことを特徴としてもよい。
【００１４】
また、本発明に係る遊技機の一態様では、前記導光維持部分は、前記液晶パネルの一部と重複して配置され、前記前面扉は、前記導光維持部分と重複する前記液晶パネルの一部の前側に、当該一部が視認不能となるように所定の部材を備える、ことを特徴としてもよい。
【発明の効果】
【００１５】
本発明によれば、画像表示領域内に配置されるリール窓に対応して開口部を有する導光板を液晶パネルの背面に備える場合において、導光板に光を供給する光源の配置によって発生しうる出射光量の分布を改善した遊技機を提供することができる。
【図面の簡単な説明】
【００１６】
【図１】第１の実施形態にかかる遊技機の斜視図である。
【図２】第１の実施形態にかかるリール可変表示装置の構成を説明するための図である。
【図３】第１の実施形態にかかる遊技機のハードウェア構成を示す図である。
【図４】第１の実施形態にかかる遊技機の前面扉と、前面扉に取り付けられる液晶表示装置の分解斜視図である。
【図５】第１の実施形態にかかる遊技機の液晶表示装置における導光板の様子を示す図である。
【図６】第１の実施形態における導光板の導光方向変換部を説明するための図である。
【図７】第１の実施形態にかかる遊技機の液晶表示装置における導光板と液晶パネルの位置関係を説明するための図である。
【図８】前面扉に備え付けられる液晶表示装置の導光板において開口部が形成される場合に、入射光が遮断される様子を説明する図である。
【発明を実施するための形態】
【００１７】
［第１の実施形態］
［１−１．遊技機の外観構成］
図１は、本発明の第１の実施形態に係る遊技機１の概観を示す斜視図である。遊技機１は、前面が開口した箱状の遊技機筐体２と、その前面に配置した前面扉３から構成されている。遊技機筐体２と前面扉３とは片側で蝶番により固定され開閉できるようになっている。前面扉３は、遊技者が遊技を行うためのボタン類が配置された操作部ＯＰ、リール可変表示装置ＲＬの図柄を視認させるためのリール窓２０が配置されたパネル表示部ＤＰ、及び受皿部ＢＰから構成されている。
【００１８】
操作部ＯＰには、メダル投入口１０、ＭＡＸＢＥＴボタン１１等の一遊技に賭ける遊技媒体の数を設定するベットボタン、スタートレバー１２、左ストップボタン１３ａ、中ストップボタン１３ｂ、右ストップボタン１３ｃ、精算ボタン１４が設けられている。操作部ＯＰの上面右側にメダル投入口１０が配置され、上面左側にＭＡＸＢＥＴボタン１１が配置されている。遊技機１の遊技は、メダル投入操作又はベットボタン操作、再遊技賞の入賞に伴う自動ベット処理により開始できる。
【００１９】
本実施形態のパネル表示部ＤＰは、画像表示領域３０内にリール窓２０が設けられた液晶表示装置によって構成される。パネル表示部ＤＰの液晶表示装置は、遊技の進行状態や遊技上の演出を画像で表示するものとなっている。また、パネル表示部ＤＰの上方にはスピーカ３２が配置されて、ゲーム状態に応じて変化させるＢＧＭやボタン操作に応じた操作音、ガイド音声を出力するものとなっており、左右両側および上方には、液晶表示装置に表示された画像や遊技の進行に合せて色彩や点灯パターンを変化させる電飾ＬＥＤ３１が配置される。またリール窓２０は、１つのリールにつき、３個の連続した図柄をのぞむ透明アクリル板からなり、遊技者は３つのリールで９個分の図柄を、リール窓２０を通して目視することができる。
【００２０】
［１−２．リール可変表示装置の構成］
図２は、遊技機１のリール可変表示装置（リールユニット）ＲＬの構造を示す説明図である。図２（ａ）は、リール可変表示装置ＲＬ全体の構造を示し、リール可変表示装置の内部を表すために右リールＲ３が取り外された状態を示したものである。図２（ｂ）は、右リールＲ３の詳細の構造を示す。
【００２１】
リールＲ１〜Ｒ３は、軸部から放射線状に延びた複数のスポーク部と環状の枠を有する透明なＡＢＳ樹脂等からなるリール枠に、２１個の各種の図柄が印刷されているリール帯が、リール枠の周面に貼り付けられて構成される。リールＲ１〜Ｒ３はリール可変表示装置ＲＬのケース体５０の上下に設けられた、それぞれのリールに対応したガイドレール５１ａ〜５１ｃに沿って挿入され、ケース体５０内に収容される。図２（ｂ）を使って、リールＲ３の説明をするが、リールＲ１〜Ｒ２も同一の構造となっており、リールＲ３では、リール帯５８ｃがリール枠５６ｃに貼り付けられて構成され、内部に固定されたステッピングモータ５４ｃによって回転するようになっている。リールＲ３の回転には、５０４ステップのパルスの供給で１回転するステッピングモータ５４ｃを使用し、所定のパルスを供給することで所定の図柄をリール窓２０に表示させることができる。
【００２２】
また、リールＲ３はバックライト装置５３ｃを備えており、リール帯５８ｃを背面側から照らして、リール窓２０から外部に光を供給するものとなっている。
【００２３】
［２．遊技機の電気的構成］
図３は、遊技機１の電気的構成を示すブロック図である。遊技機１は、遊技の主たる制御を行うメイン制御基板１００Ａ、表示パネル部ＤＰの液晶表示装置に対して表示制御を行って画像を表示する演出を実行するサブ制御基板１００Ｂを備えている。メイン制御基板１００Ａは、ＣＰＵ（central processing unit）１０１、クロック発生回路ａ１０２、クロック発生回路ｂ１０３、ＲＯＭ（read only memory）１０４、ＲＡＭ（random access memory）１０５、データ送出回路１０６、入出力ポート１０７から構成されている。なお、ＣＰＵ１０１としてＲＯＭやＲＡＭを内蔵しているものを採用することができる。その場合には、外付けのＲＯＭ１０４、ＲＡＭ１０５は不要となる。
【００２４】
ＣＰＵ１０１は、ＲＯＭ１０４に格納されたプログラムを、クロック発生回路ａ１０２で発生したＣＬＫ信号のタイミングに基づいて読み出し、プログラムを逐次実行する。ＣＰＵ１０１は、電源が投入されるとあらかじめ定められたアドレスからメインプログラムを実行し、クロック発生回路ａ１０２の周期とは異なるクロック発生回路ｂ１０３で発生したＩＮＴＲ信号のタイミングで、あらかじめ定められたアドレスから始まる割込みプログラムを実行する。ここで、ＩＮＴＲ信号の間隔は、例えば、２ミリ秒である。ＣＰＵ１０１はプログラムの実行に応じて、各種フラグや各種カウンタ又は各種遊技情報をＲＡＭ１０５に保存する。外部から供給される電源が遮断した場合でも、ＲＡＭ１０５は電池により記憶情報が保持されており、その後電源が復帰した場合には、電源断発生の直前の状態から再開する。ＣＰＵ１０１は、入出力ポート１０７を介して各種ボタン、センサの状態を読み取って各種モータ等を駆動する。
【００２５】
ベット操作指示信号１１１ａ〜１１１ｃ、開始操作指示信号１１２、停止操作指示信号１１３ａ〜１１３ｃ及び精算操作指示信号１１４は、それぞれ操作部ＯＰに設けられたＭＡＸボタン１１をはじめとするベットボタン、スタートレバー１２、ストップボタン１３ａ〜１３ｃ、精算ボタン１４が遊技者に操作されたことに応じて検知される信号であり、入出力ポート１０７を介してＣＰＵ１０１に送られる。リール位置検出信号１５５ａ〜１５５ｃはそれぞれリール可変表示装置ＲＬのそれぞれのリールに対応し、リールが１回転するたびに１回検出する信号であり入出力ポート１０７を介してＣＰＵ１０１に送られる。リール駆動信号１５４ａ〜１５４ｃは、それぞれリール可変表示装置ＲＬのそれぞれのリールＲ１〜Ｒ３を駆動するステッピングモータ駆動信号であり、入出力ポート１０７を介してＣＰＵ１０１より駆動される。このリール駆動信号１５４ａ〜１５４ｃによってステッピングモータに対する制御を行うことにより、各リールＲ１〜Ｒ３の回転制御の開始や停止制御を実行することができる。
【００２６】
メダル投入信号１６０は、投入された遊技メダルをメダル投入口１０から通ずる前面扉３の内部に設けられたメダル検出装置に設けられたメダルを検出するセンサの信号であり、入出力ポート１０７を介してＣＰＵ１０１に送られる。また、メダルブロック信号１６１はメダル検出装置に設けられたソレノイドを駆動する信号であり入出力ポート１０７を介してＣＰＵ１０１より駆動される。メダル払出信号１６２はメダル払出装置のメダル放出部に設けられたメダルを検出するセンサ信号であり、入出力ポート１０７を介してＣＰＵ１０１に送られる。また、払出駆動信号１６３はメダル払出装置に設けられたモータを駆動する信号であり、入出力ポート１０７を介してＣＰＵ１０１より駆動される。
【００２７】
ＣＰＵ１０１は、データ送出回路１０６を介してサブ制御基板１００Ｂへ各種コマンドを出力する。サブ制御基板１００Ｂは、ＣＰＵ（central processing unit）１９１、クロック発生回路ｃ１９２、クロック発生回路ｄ１９３、ＲＯＭ（read only memory）１９４、ＲＡＭ（random access memory）１９５、データ入力回路１９６及びグラフィックＬＳＩとその周辺回路からなる表示回路１９７を備えている。このＣＰＵ１９１は、ＲＯＭ１９４に格納されたプログラムを、クロック発生回路ｃ１９２で発生したＣＬＫ信号のタイミングに基づいて読み出し、プログラムを逐次実行する。ＣＰＵ１９１は、電源が投入されるとあらかじめ定められたアドレスからメインプログラムを実行し、クロック発生回路ｃ１９２の周期とは異なるクロック発生回路ｄ１９３で発生したＩＮＴＲ１信号のタイミングで、あらかじめ定められたアドレスから始まる割込みプログラムを実行する。ここで、ＩＮＴＲ１信号の間隔は、例えば、２ミリ秒とする。ＣＰＵ１９１は、プログラムの実行に応じて、各種フラグや各種カウンタ又は各種遊技情報をＲＡＭ１９５に保存する。また、メイン制御基板１００Ａのデータ送出回路からのデータ送出タイミングに同期して送出されるストローブ信号に基づいてＩＮＴＲ２信号を発生させ、このＩＮＴＲ２信号のタイミングで、あらかじめ定められたアドレスから始まる割込みプログラムを実行する。
【００２８】
サブ制御基板１００Ｂは、メイン制御基板１００Ａより各種コマンドを受信して、パネル表示部ＤＰの液晶表示装置に遊技に伴う演出画像を表示させる指示を表示回路１９７に出力する。また、サブ制御基板１００Ｂは、電飾ＬＥＤ３１による電飾装置の点灯制御や、リール可変表示装置ＲＬに設けられたバックライト装置５３ａ〜５３ｃの点灯制御、ＢＧＭなどのサウンドをスピーカ３２から出力する音制御を行う。
【００２９】
［３．表示パネル部ＤＰの液晶表示装置について］
次に、図４〜図７を用いて本実施形態における表示パネル部ＤＰの液晶表示装置と、当該液晶表示装置に含まれる導光板についての説明をする。
【００３０】
図４は、本実施形態の表示パネル部ＤＰの液晶表示装置の分解斜視図を示す図である。同図で示されるように、前面扉３の中央の開口部分の枠体内に、アクリル板ＡＣによって保護された液晶表示装置Ｌが前面扉３の裏側から備え付けられるようになっている。また液晶表示装置Ｌは、液晶パネルＬＣと、光学シートＬＳと、導光板ＬＧと、導光板ＬＧに光を供給する線状光源部ＬＤを含み、互いに嵌め合わされる２つのフレーム部材ＣＶ１、ＣＶ２の内部にてこれらが固定されるようになっている。
【００３１】
まず液晶パネルＬＣは、例えば、アクティブマトリクス基板と、カラーフィルタ基板と、これらの間に封入された液晶組成物とを含んで構成されて、アクティブマトリクス基板から液晶組成物に電界を印加することにより、バックライトからの出射光を変調して映像を表示するデバイスとなっている。
【００３２】
次に、本実施形態のバックライトは、導光板ＬＧと、線状光源部ＬＤと、光学シートＬＳを含んで構成される所謂サイドライト型のバックライトとなっている。まず、線状光源部ＬＤは、例えば、複数のＬＥＤ（Ｌｉｇｈｔ  Ｅｍｉｔｔｉｎｇ  Ｄｉｏｄｅ）素子が直線状に配置されて構成され、導光板ＬＧの上方に配置される。
【００３３】
次に、導光板ＬＧは、アクリルなどの透明な樹脂からなり、ＬＥＤ素子から出射した光線を面光源に変換する機能を有している。この導光板ＬＧについての詳細は後述するものとする。
【００３４】
光学シートＬＳは、導光板ＬＧと液晶パネルＬＣとの間にて配置される光学部材であり、例えばプリズムシートや拡散シートによって構成される。図４においては、１つの光学シートＬＳが開示されているが複数枚の光学シートが配置されていてもよい。
【００３５】
［３−１．導光板について］
以下では、本実施形態における導光板ＬＧについて詳しく説明する。導光板ＬＧでは、リール窓２０に対応する位置に中空の開口部ＯＰが形成されることにより、リール窓２０内から鮮明にリール可変表示装置ＲＬを視認することが出来るようになっている。しかしながら図８で既に説明したように、開口部ＯＰの各上辺にて線状光源部ＬＤからの発光が遮断されることから、開口部ＯＰの各下辺よりも下側の領域にて、出射光量が少なくなる箇所が発生する。
【００３６】
図５は、本実施形態の導光板ＬＧの構成を具体的に説明するための図である。図５（ａ）は、本実施形態の導光板ＬＧ単体の様子を示すものとなっている。本実施形態の導光板ＬＧは、前方から見て左側となる側面の、開口部ＯＰよりも下方となる位置に導光方向変換部ＴＬを有している。線状光源部ＬＤから導光方向変換部ＴＬまで導光された入射光は、図５（ｂ）で示されるように、開口部ＯＰによって線状光源部ＬＤからの発光が遮断される領域に向けて誘導され、これにより開口部ＯＰの下方にて発生する出射光量のむらの発生を抑制出来る。
【００３７】
図５（ｃ）は、本実施形態の導光板ＬＧを詳細に説明するための図であり、導光板ＬＧは、導光方向変換部ＴＬを備えた導光維持部分ＫＬと、画像表示対応部分ＤＩと、線状光源部ＬＤからの発光が入射する入射端部ＩＥと、入射端部ＩＥに対向する対向端部ＦＥとを有して構成される。
【００３８】
導光維持部分ＫＬは、同図で示されるように、入射端部ＩＥと対向端部ＦＥとの間で垂直に形成される側面を含み、当該側面に沿うようにして入射端部ＩＥから対向端部ＦＥに向かって延在する部分となっている。また別の観点から説明すると、導光維持部分ＫＬは、リール窓２０とその上下左右となる外周領域に対応して映像を表示する画像表示対応部分ＤＩに隣接して、帯状に延在する部分となっている。
【００３９】
そして導光維持部分ＫＬは、各開口部ＯＰよりも対向端部ＦＥ側の位置に延在し、当該位置において導光方向変換部ＴＬを有している。導光方向変換部ＴＬは、対向端部ＦＥ側に進むに従って開口部ＯＰ側（図５（ｃ）の場合には、右側）に近づくように傾斜をする傾斜側面を備えており、これにより、線状光源部ＬＤを基準として略垂直に進行する導光維持部分ＫＬ内の主光線の方向が変換されて、開口部ＯＰによって線状光源部ＬＤからの発光が遮断される領域へと誘導されるようになっている。
【００４０】
また、導光維持部分ＫＬは、遊技者に対して画像を表示する画像表示領域３０に対応する画像表示対応部分ＤＩの側方にて延在しており、導光維持部分ＫＬの前面側は、液晶パネルＬＣの画像表示領域３０に対応しないようにする。また、導光維持部分ＫＬとしては、前面側に光を出射しないようにするのが望ましいが、少なくとも、導光維持部分ＫＬの前面からの単位面積あたりの出射光量が、画像表示対応部分ＤＩの単位面積あたりの出射光量よりも低下するようにするのがよい。このようにすることで、導光維持部分ＫＬの入射端部ＩＥから入射した光量が導光方向変換部ＴＬに至るまで維持されることとなり、線状光源部ＬＤからの発光が遮断される領域に供給される光量を増大して出射光量のむらを抑えることが出来る。
【００４１】
導光維持部分ＫＬは、具体的には、画像表示対応部分ＤＩよりも散乱ドット等で構成される光出射手段の配置密度が少ない（あるいは、光出射手段が配置されない）ようになっており、さらに後述のように、導光維持部分ＫＬの前面側は、電飾ＬＥＤ３１や前面扉３における枠状の構造物によって露出しないようになっている。
【００４２】
また導光方向変換部ＴＬとしては、矩形状の導光板ＬＧの一部が斜めにカットされるような形状にて構成され、導光維持部分ＫＬは、入射端部ＩＥからの主光線（線状光源部ＬＤを基準として垂直方向に進行する光線）が導光方向変換部ＴＬの傾斜側面に受入れられる部分となっており、導光方向変換部ＴＬにより先細りとなるように構成される。
【００４３】
以上のような、導光維持部分ＫＬや導光方向変換部ＴＬを備えた導光板ＬＧを前面扉３の液晶表示装置Ｌに適用することで、線状光源部ＬＤにより一方の側のみから光が入射する場合であっても、開口部ＯＰによる出射光量の少ない領域の発生を抑えることができる。
【００４４】
図６は、本実施形態の導光板ＬＧにおける導光方向変換部ＴＬの様子を拡大した図面である。図６（ａ）で示されるように、導光方向変換部ＴＬは、遊技機筐体２の天板や底面を基準として（線状光源部ＬＤを基準として）垂直となる導光方向を基準として角度θ傾斜する傾斜側面を含んで構成される。また、この角度θとしては、１０度以上２５度以下とするのが望ましく、１３度以上２０度以下とするのがさらに好ましい。
【００４５】
また、導光方向変換部ＴＬにおける傾斜側面には、図６（ｂ）で示されるように、階段状となるプリズムが形成されるようにし、開口部ＯＰの下方へと効率的に導光できるようにする。また、導光方向変換部ＴＬの傾斜側面に、反射シートを形成するようにしてもよい。
【００４６】
図７は、本実施形態における前面扉３に取り付けられた導光板ＬＧと液晶パネルＬＣの様子を説明するための図であり、前面扉３における枠体の構造と、導光板ＬＧにおける導光維持部分ＫＬと、液晶パネルＬＣと、画像表示領域３０の位置関係を説明するものとなっている。
【００４７】
図７（ａ）にて示されるように、導光板ＬＧにおける導光維持部分ＫＬや導光方向変換部ＴＬは、電飾ＬＥＤ３１や電飾ＬＥＤ３１が取り付けられた枠体の裏側に位置しており、導光維持部分ＫＬが電飾ＬＥＤ３１等により遊技者から隠された状態となっている。このようにして導光維持部分ＫＬが配置されることから、導光維持部分ＫＬとしては前面側に線状光源部ＬＤからの発光を出射しないようにするのが望ましい。また本実施形態における導光板ＬＧは、液晶パネルＬＣの外側に導光維持部分ＫＬがはみ出すように構成され、導光維持部分ＫＬが画像表示領域３０とは重複しないようになっている。
【００４８】
また、図７（ｂ）は、本実施形態の変形例に係る導光板ＬＧと液晶パネルＬＣの様子を示す図となっている。図７（ｂ）の変形例の構成は、導光板ＬＧにおける導光維持部分ＫＬが液晶パネルＬＣの一部となる額縁領域と重複している点で、図７（ａ）の場合と異なっている点を除き、他の部分は同様である。図７（ａ）及び図７（ｂ）で示されるように、線状光源部ＬＤは、画像表示領域３０を基準として側方に超過するように配置されており、この超過している部分による発光が導光維持部分ＫＬに入射されて、開口部ＯＰの下方からの出射に寄与することとなる。このように導光板ＬＧ等が構成されることで、前面扉３の裏側におけるレイアウトを効率化することができる。また、導光板ＬＧの上方に線状光源部ＬＤが配置される場合には、熱対策も容易になる。
【００４９】
［その他］
なお、上記の実施形態の表示パネル部ＤＰのリール窓２０は、リール可変表示装置ＲＬの３つのリールＲ１〜Ｒ３に対応して３箇所に形成されたものとなっているが、３つのリールＲ１〜Ｒ３を視認する１つのリール窓２０によって構成されてもよい。
【００５０】
なお、上記の実施形態の表示パネル部ＤＰでは、リール窓２０の領域内とその外側を囲むようにして、液晶パネルＬＣによる画像表示領域３０が広がっており、リール窓２０内の領域では、リール可変表示装置ＲＬにおけるバックライト装置５３からの光が液晶パネルＬＣによって変調されて映像が表示されるようになっている。またリール窓２０内にて映像が表示される際には、リール帯５８に重なって視認されるようになっており、リール窓２０の周囲の領域とは異なる趣の映像表示となる。なお、表示パネル部ＤＰとしては、このようにしてリール窓２０内においても映像が表示されるように、画像表示領域３０内にリール窓２０が配置されるのが望ましいが、必ずしもこのような態様に限定されず、例えば、リール窓２０内では液晶パネルＬＣによる映像が常時表示されないようにしてもよいし、リール窓２０の領域にて映像表示機能を有していない液晶パネルＬＣを採用することによってリール窓２０が画像表示領域３０内に配置されるようにしてもよい。
【００５１】
なお、上記の実施形態にて用いられる光学シートＬＳとしては、導光板ＬＧと同様にリール窓２０の対応領域にて開口が形成されるのが望ましいが、必ずしも中空の開口が形成されずともよく、例えば、リール窓２０に対応する領域にて光学シートの機能（プリズム機能や拡散機能等）が取り除かれた光学シートを用いるようにしてもよい。
【００５２】
なお、上記の実施形態においては、線状光源部ＬＤが配置される入射端部ＩＥが導光板ＬＧの上辺に対応し、対向端部ＦＥが下辺に対応し、導光維持部分ＫＬが左辺となる側面を含むように構成されているが、必ずしもこの態様には限定されず、例えば、入射端部ＩＥが導光板ＬＧの下辺に対応してもよいし、左辺や右辺に対応してもよい。なお、入射端部ＩＥが導光板ＬＧの左辺に対応する場合には、対向端部ＦＥが右辺に対応し、導光維持部分ＫＬが導光板ＬＧの上辺または下辺の少なくとも一方に対応する位置に形成されるようにする。
【００５３】
なお、導光方向変換部ＴＬの傾斜側面としては、対向端部ＦＥに到達するように構成されてもよいし、或いは、対向端部ＦＥに到達しないように構成されてもよい。
【００５４】
なお、図８で示されるように、開口部ＯＰの下辺（対向端部ＦＥ側の辺）から離れるにつれて、開口部ＯＰの左右両側から導光の回り込みが発生するため、発光遮断領域ＳＨよりも出射光量の低下が緩和されることとなる。導光板ＬＧとしては、例えば、開口部ＯＰがさらに下方（対向端部ＦＥ側）に形成されて、発光遮断領域ＳＨのさらに下方に導光回り込み領域が存在しないようにしてもよいし、開口部ＯＰがさらに上方に形成されて、導光回り込み領域が広く存在するようにしてもよい。また、導光方向変換部ＴＬとしては、その下端が、発光遮断領域ＳＨの下部、あるいは、導光回り込み領域の上部に位置するようにして、線状光源部ＬＤからの発光を導光遮断領域ＳＨに優先的に誘導するようにするのが望ましい。
【００５５】
なお、上記の実施形態では導光板ＬＧにて光出射手段としての散乱ドットが形成されている。散乱ドットは、例えば導光板とは異なる屈折率を有する円形の印刷物によって構成されて、線状光源部ＬＤからの発光が散乱ドットに入射することで乱反射して導光板ＬＧの前面側からの出射が促される。なお光出射手段としては、散乱ドットパターンでなくてもよく、例えば、導光板ＬＧの裏面に微細なプリズムを形成することにより前面からの出射を促すようにしてもよい。
【００５６】
なお、光出射手段としては、入射端部ＩＥから対向端部ＦＥ側に進むにつれてその密度が向上するように配置されるため、開口部ＯＰを基準として入射端部ＩＥ側の部分よりも対向端部ＦＥ側の部分のほうが、光出射手段の密度が高くなっている。また、発光遮断領域ＳＨにおける光出射手段としては、入射端部ＩＥからの発光が開口部ＯＰに遮られない領域であって、入射端部ＩＥからの距離が発光遮断領域ＳＨと同一となる領域における光出射手段よりも、密度が高くなるように配置されるようにする。
【００５７】
なお、上記の実施形態における導光方向変換部ＴＬとしては、図６のような傾斜側面を含んで構成されているが、傾斜側面が曲面状に形成されてもよいし、プリズムが形成された傾斜側面の傾斜角度が２段階で変化するようになっていてもよい。
【００５８】
なお本発明は、上述した実施形態に限定されるものではなく種々の変形が可能であることは言うまでもない。
【符号の説明】
【００５９】
１  遊技機、１２  スタートレバー、１３ａ〜１３ｃ  ストップボタン、３０  画像表示領域、１００Ａ  メイン制御基板、１００Ｂ  サブ制御基板、１０１，１９１  ＣＰＵ。
【図１】
2015136561.tif 000003
【図２】
2015136561.tif 000004
【図３】
2015136561.tif 000005
【図４】
2015136561.tif 000006
【図５】
2015136561.tif 000007
【図６】
2015136561.tif 000008
【図７】
2015136561.tif 000009
【図８】
2015136561.tif 000010